Podtech/llm-jp-corpus-v4-ja_patent huggingface dataset:
(57)【要約】  本発明は、アルファベータポートシステムを介して処理容器を搭載するためのデバイスであって、軸方向に移動可能であるように、且つベータポートにドッキングするのに必要な高さまで下降されることができるように配置されたアルファポートを含むデバイスに関する。この目的のために、アルファポートは、可撓性ダイアフラムによって軸方向に移動可能に配置される。
2018530477.tif 000002
【特許請求の範囲】
【請求項１】
取り扱う部品を有する処理容器を搭載するためのデバイスであって、前記処理容器がベータポートを備え、前記ベータポートは、搭載のためにアルファポートにドッキングされる、デバイスにおいて、
前記アルファポートは軸方向に移動可能に配置され、且つ前記アルファポートに対して同軸に配置された前記ベータポートにドッキングするために必要な高さまで下降されることができることを特徴とする、デバイス。
【請求項２】
前記アルファポートが可撓性メンブレンによって軸方向に移動可能に配置されることを特徴とする、請求項１に記載の搭載デバイス。
【請求項３】
前記処理容器は壁によって搭載ルームから分離されたクリーンルーム内に配置されることを特徴とする、請求項１に記載の搭載デバイス。
【発明の詳細な説明】
【技術分野】
【０００１】
本発明は、請求項１の前提部分による、第１の格納容器（ｃｏｎｔａｉｎｍｅｎｔ）から第２の格納容器へ部品（ｐａｒｔ）を移送するためのデバイスであって、被移送部品が格納容器の内部とのみ接触するデバイスに関する。一般には、少なくとも１つの格納容器がクリーンルームであり、或いはクリーンルーム内の容器（ｃｏｎｔａｉｎｅｒ）である。移送は、被移送物品が第２の格納容器内に配置され、これが外部に対して再密封されたときに完了する。
【背景技術】
【０００２】
クリーンルーム内での移送のための「アルファベータポート」または「ラピットトランスファーポート（ＲＴＰ）」としても知られるポートシステムを使用することが先行技術から公知である。これらのシステムにより、材料または滅菌された部品を１つのクリーンルームから他のクリーンルームへ、または１つの格納容器から他の格納容器へと移送することができる。
【０００３】
アルファポートのベータポートへの結合は機械的である。ポートシステムを一体に結合すること、およびポートドアを開放することを可能にするために、アルファポートおよび／またはベータポートはまず、それらが互いに対して同軸に位置するように移動されなければならない。第２ステップでは、アルファポートおよび／またはベータポートは次いで互いに対して軸方向に約３０〜４０ｍｍ移動されなければならない。ポートドアの結合および開放は、この位置でのみ可能である。
【０００４】
アルファベータポートによるストッパまたはキャップが処理容器に導入された公知のシステムでは、ベータポートを備えたコンテナがアルファポートの下の同軸位置へと移動される。その後に必要とされる軸方向並進移動は、容器を上昇させることによって実現される。それにより結合および開放のための条件が満たされる。
【発明の概要】
【発明が解決しようとする課題】
【０００５】
そのようなデバイスは機能的に適切ではあるが、特に上昇させる重量のために手動の解決手段をもはや使用できないので、処理容器を上昇させるために必要な装置はかなりの機械的な制御および安全努力を伴う。
【０００６】
本発明は、これらおよびさらなる欠点を回避するという目的に基づく。
【課題を解決するための手段】
【０００７】
本発明によれば、これは、請求項１の特徴部分の構成によって達成される。
【０００８】
以下において、本発明の例示的実施形態が添付図面を参照しながら説明される。
【図面の簡単な説明】
【０００９】
【図１】ドッキングに適した位置にある処理容器を示す図である。
【図２】開放ポートを備えた、ドッキング済み処理容器を示す図である。
【図３】ドッキング前のポートシステムの詳細な断面図を示す図である。
【図４】開放ポートを備えた、ドッキング状態にあるポートシステムの詳細な断面図を示す図である。
【発明を実施するための形態】
【００１０】
ベータポート２を備えた処理容器１が通常は移送車３上に配備され、そして搭載（充填）位置へと回転される。処理容器はクリーンルーム４内に配置され、このため、処理する部品はクリーンルームの雰囲気と接触しないことが保証されなければならない。クリーンルームは壁５によって搭載ルーム６から分離され、そこから搭載が行われる。ベータポートをドッキングすることができる搭載容器のアルファポート８が、デスク状壁部７に配置される。ドッキング後にポートカバー９が開放されると、処理容器の内部が搭載ルーム６に接続される。クリーンルームとの接触は妨げられる。
【００１１】
壁に配置されたアルファポートは、ドッキングに必要な高さまでそれが処理容器のベータポートに対して下降され得るように軸方向に移動可能に配置される。ポートの可動性は可撓性メンブレン１０によって達成され、アルファポートは可撓性メンブレン１０によって壁に固定され、また可撓性メンブレン１０はクリーンルームから搭載ルームを常時分離する。
【００１２】
ドッキング後、ポートドアを開放することができ、処理する部品を処理容器に搭載することができる。より容易な充填のためにファンネル１１を取り付けることができる。
【００１３】
移送が完了したとき、容器上のベータポートのポートカバーが再閉鎖され、ポートの２つの部分が分離され、そして引っ込み可能なアルファポートがその開始位置に戻る。
【図１】
2018530477.tif 000003
【図２】
2018530477.tif 000004
【図３】
2018530477.tif 000005
【図４】
2018530477.tif 000006
【国際調査報告】
2018530477.tif 000007
2018530477.tif 000008
2018530477.tif 000009
2018530477.tif 000010
(57)【要約】  子供用自転車のためのクイックマウントクランクペダル機構、２つの部分で構成される前記クイックマウントクランクペダル機構は、クランクロッド（１）とクランク軸受（２）とを含み、前記クランクロッド（１）がクランク軸受（２）と嵌合する。この機構を使用することにより、いずれのツールを使用しなくても、ペダルを速やかに使用可能な状態にすることができ、且つ輸送中に段ボール箱を穿刺しないようにクランクの末端を効果的に保護して、安全上のリスクが低減される。【選択図】図１
2018502774.tif 000002
【特許請求の範囲】
【請求項１】
子供用自転車のためのクイックマウントクランクペダル機構であって、
クランクロッド（１）はクランク軸受（２）と嵌合し、前記クランクロッド（１）の末端にバネ突起（３）が設けられ、前記クランク軸受（２）に係合スロット（４）が設けられていることを特徴とする子供用自転車のためのクイックマウントクランクペダル機構。
【請求項２】
前記バネ突起（３）は前記係合スロット（４）と嵌合することを特徴とする請求項１に記載のクイックマウントクランクペダル機構。
【請求項３】
前記クランクロッド（１）にネジ機構が設けられ、前記クランク軸受（２）内にナット機構がそれぞれ設けられていることを特徴とする請求項１に記載のクイックマウントクランクペダル機構。
【発明の詳細な説明】
【技術分野】
【０００１】
本発明は、子供用自転車のためのクイックマウントクランクペダル機構に関する。
【背景技術】
【０００２】
従来技術において、分離式デザインが使用されているため、リンク構造が比較的複雑であり、操作プロセスが多く、輸送中にクランクの末端が段ボール箱を穿刺しやすく、強固性が悪く、壊れやすいので安全上のリスクが存在するとともに、マウントが面倒である。
【発明の概要】
【０００３】
上述した問題において存在する欠陥に対し、本発明は、子供用自転車のためのクイックマウントクランクペダル機構を提供することを目的とする。
【０００４】
上述した目的を実現するために、本発明は、２つの部分で構成される子供用自転車のためのクイックマウントクランクペダル機構を提供し、前記クイックマウントクランクペダル機構は、クランクロッドとクランク軸受とを含み、前記クランクロッドが前記クランク軸受と嵌合し、前記クランクロッドの末端にバネ突起が設けられ、クランク軸受に係合スロットが設けられている。
【０００５】
更に、前記バネ突起は前記係合スロットと嵌合する。
【０００６】
更に、前記クランクロッドにネジ機構が設けられ、前記クランク軸受内にナット機構がそれぞれ設けられている。
【０００７】
本発明の有益な効果は以下のとおりである。つまり、この機構を使用することにより、いずれのツールを使用しなくても、ペダルを速やかに使用可能な状態にすることができるため、ユーザのマウントに関する悩みを解消し、且つ輸送中に段ボール箱を穿刺しないようにクランクの末端を効果的に保護して、安全上のリスクが低減されるため、すべての複雑なプロセス及び誤解を与えることを排除し、消費者の困惑を解消し、構造がより強固となる等の多くの利点がある。
【図面の簡単な説明】
【０００８】
【図１】図１は本発明に係る子供用自転車のためのクイックマウントクランクペダル機構の全体模式図である。
【図２】図２は本発明に係る子供用自転車のためのクイックマウントクランクペダル機構の単体模式図である。
【発明を実施するための形態】
【０００９】
図１に示すように、本発明は、２つの部分で構成される子供用自転車のためのクイックマウントクランクペダル機構に関し、前記クイックマウントクランクペダル機構は、クランクロッドとクランク軸受とを含み、前記クランクロッド（１）がクランク軸受（２）と嵌合し、前記クランクロッド（１）の末端に、クランク軸受（２）に設けられた係合スロット（４）と嵌合されるバネ突起（３）が設けられている。この機構を使用することにより、いずれのツールを使用しなくても、ペダルを速やかに使用可能な状態にすることができるため、ユーザのマウントに関する悩みを解消し、且つ輸送中に段ボール箱を穿刺しないようにクランクの末端を効果的に保護して、安全上のリスクが低減されるため、すべての複雑なプロセス及び誤解を与えることを排除し、消費者の困惑を解消し、構造がより強固となる等の多くの利点がある。
【００１０】
具体的に使用する際には、クランクロッド（１）の末端に設けられたバネ突起（３）がクランク軸受（２）に設けられた係合スロット（４）内に係入するように、ペダルを反時計回りに９０度回転させればよいため、使いやすくて、操作が簡単であり、調節の効果が良い。
【００１１】
上述したものは、本発明の好ましい実施例に過ぎない。当業者にとって、本発明の技術的手段を理解した後、実際のニーズに基づいて本発明の教示の下で変更を行うことができることは自明である。そのため、本発明の特許請求の範囲に基づいてなされた同等の変更や修正も本発明の特許によりカバーされる範囲に属される。
【符号の説明】
【００１２】
１−クランクロッド、２−クランク軸受、３−突起、４−係合スロット。
【図１】
2018502774.tif 000003
【図２】
2018502774.tif 000004
【国際調査報告】
2018502774.tif 000005
2018502774.tif 000006
2018502774.tif 000007
2018502774.tif 000008
(57)【要約】  アメリカミズアブ抽出物を含むスキンケア製品であって、１）１００重量％以下のビタミンＥ、２）１重量％以上の、アメリカミズアブの油脂抽出物、または油脂が抽出された若しくは取り除かれたアメリカミズアブ残渣、或いは１００重量％の、アメリカミズアブの油脂抽出物、または油脂が抽出された若しくは取り除かれたアメリカミズアブ残渣からなるスキンケア製品。本製品は、肌への栄養付与のために塗布される。【特許請求の範囲】
【請求項１】
成分として、アメリカミズアブ抽出物を含むスキンケア製品であって、
成分
１．１００重量％以下のビタミンＥ、
２．１重量％以上の、アメリカミズアブの油脂抽出物、または油脂が抽出された若しくは取り除かれたアメリカミズアブ残渣、或いは
３．１００重量％の、アメリカミズアブの油脂抽出物、または油脂が抽出された若しくは取り除かれたアメリカミズアブ残渣
からなるスキンケア製品。
【請求項２】
以下の通りの、成分としてアメリカミズアブ抽出物を含むスキンケア製品の製造方法。
１．アメリカミズアブの幼虫を１０〜９０セルシウス度の熱気中で１〜５日間連続的にまたは不連続的にベークする。
２．油脂を抽出するためにスクリュープレスまたは溶剤を用いて、油脂が取り除かれたアメリカミズアブの残渣を得る。
３．油脂の不純物を濾過により取り除き、油脂が抽出されたまたは取り除かれたアメリカミズアブ残渣から不純物を取り除く。
４．油脂、あるいは油脂が取り除かれたアメリカミズアブ残渣を９０セルシウス度以下で加熱することによって滅菌する。
５．１重量％のアメリカミズアブの油脂抽出物、或いは油脂が抽出されたまたは取り除かれたアメリカミズアブ残渣を１００重量％以下のビタミンＥと混合した後、室温保存および皮膚に栄養を与える塗布のために、容器に充填し、蓋で密閉することによって、クリーム、スプレー、粉末、ゲルなどの形態の製品へと処理するか、または
６．１００重量％のアメリカミズアブの油脂抽出物、或いは油脂が抽出されたまたは取り除かれたアメリカミズアブ残渣を、室温保存および皮膚に栄養を与える塗布のために、容器に充填し、蓋で密閉することによって、クリーム、スプレー、粉末、ゲルなどの形態の製品へと処理する。
【発明の詳細な説明】
【発明の概要】
【０００１】
［関連する分野又は科学の背景］
通常のスキンケア製品は、クリームベース（クリームベース６０６５）、イソプロピルミリステート（またはＩＰＭ）、エチルアルコール、グリセリン、プロピルパラベン防腐剤、メチルパラベン防腐剤、および必要に応じて香料を加えた清浄な水を使用して製造されている。しかしながら、上記のスキンケア製品は、本発明のように、成分として、昆虫、アメリカミズアブ（ｈｅｒｍｅｔｉａ ｉｌｌｕｃｅｎｓ）を使用していない。アメリカミズアブの特性は皮膚を潤し、柔らかくし、同時にくすみを軽減し、明るさを増す。
【０００２】
［発明の特徴と目的］
本発明におけるアメリカミズアブ抽出物を含む好適なスキンケア製品は、以下からなる。
【０００３】
成分
１．１００重量％以下のビタミンＥ、
２．１重量％以上の、アメリカミズアブの油脂抽出物、または油脂が抽出された若しくは取り除かれたアメリカミズアブ残渣、或いは
３．１００重量％の、アメリカミズアブの油脂抽出物、または油脂が抽出された若しくは取り除かれたアメリカミズアブ残渣。
【０００４】
成分としてアメリカミズアブ抽出物を含むスキンケア製品の製造方法は以下のとおりである。
１．アメリカミズアブの幼虫を１０〜９０セルシウス度で１〜５日間連続的にまたは不連続的にベークする。
２．油脂を抽出するためにスクリュープレスまたは溶剤を用いて、油脂が取り除かれたアメリカミズアブの残渣を得る。
３．抽出された油脂に含まれる不純物を濾過により取り除き、油脂が抽出されたまたは取り除かれたアメリカミズアブ残渣から不純物を取り除く。
４．油脂、あるいは油脂が取り除かれたアメリカミズアブ残渣を９０セルシウス度以下での加熱によって滅菌する。
５．１重量％のアメリカミズアブの油脂抽出物、或いは油脂が抽出されたまたは取り除かれたアメリカミズアブ残渣を１００重量％以下のビタミンＥと混合する。
【０００５】
室温保存および皮膚に栄養を与える塗布のために、容器に注ぎ入れ、蓋で密閉するか、または
６．１００重量％のアメリカミズアブの油脂抽出物、或いは油脂が抽出されたまたは取り除かれたアメリカミズアブ残渣を容器に注ぎ入れ、室温保存のために蓋で密閉し、皮膚に栄養を与えるために塗布する。
【０００６】
本発明は、スキンケアの選択肢を増やすために、成分としてアメリカミズアブ抽出物を含むスキンケア製品を利用可能にすることを意図し、それは、アメリカミズアブ抽出物が皮膚を潤し、柔らかくし、同時にくすみを軽減し、明るさを増すからである。さらに、アメリカミズアブは、収入を生む手段として農業従事者によって飼育され得る。
【０００７】
［発明に関連する科学の分野］
化学が、成分としてのアメリカミズアブ抽出物を含むスキンケア製品に部分的に関連する。
【発明を実施するための形態】
【０００８】
本発明の完全な開示
本発明における、成分としてアメリカミズアブ抽出物を含む好適なスキンケア製品は、以下からなる。
【０００９】
成分
１．１００重量％以下のビタミンＥ、
２．１重量％以上の、アメリカミズアブの油脂抽出物、または油脂が抽出された若しくは取り除かれたアメリカミズアブ残渣、或いは
１．１００重量％の、アメリカミズアブの油脂抽出物、または油脂が抽出された若しくは取り除かれたアメリカミズアブ残渣。
【００１０】
成分としてアメリカミズアブ抽出物を含むスキンケア製品の製造方法は以下のとおりである。
１．アメリカミズアブの幼虫を１０〜９０セルシウス度の熱気中で１〜５日間連続的にまたは不連続的にベークする。
２．油脂を抽出するためにスクリュープレスまたは溶剤を用いて、油脂が取り除かれたアメリカミズアブの残渣を得る。
３．抽出された油脂の不純物を濾過により取り除き、油脂が抽出されたまたは取り除かれたアメリカミズアブ残渣から不純物を取り除く。
４．油脂、あるいは油脂が取り除かれたアメリカミズアブ残渣を９０セルシウス度以下で加熱することによって滅菌する。
５．１重量％のアメリカミズアブの油脂抽出物、或いは油脂が抽出されたまたは取り除かれたアメリカミズアブ残渣を１００重量％以下のビタミンＥと混合した後、室温保存のためにおよび皮膚に栄養を与える塗布のために、容器に充填し、蓋で密閉することによって、クリーム、スプレー、粉末、ゲルなどの形態の製品へと処理するか、または
６．１００重量％のアメリカミズアブの油脂抽出物、或いは油脂が抽出されたまたは取り除かれたアメリカミズアブ残渣を、室温保存のためにおよび皮膚に栄養を与える塗布のために、容器に充填し、蓋で密閉することによって、クリーム、スプレー、粉末、ゲルなどの形態の製品へと処理する。
【００１１】
本発明の最良の方法
本発明の完全な開示に記載したとおりである。
【国際調査報告】
2018533632.tif 000002
2018533632.tif 000003
(57)【要約】  内側蒸気管と、内側管から環方向に離間され、内側管を取り囲む外側管と、前述の内側管の出口端に隣接する前述の外側管の端に取り付けられたノズルとからなる蒸気プローブを含む、ミルク泡立て装置である。内側管と外側管との間の空隙が、蒸気サイクル中に内側管内で発生した熱から外側管を断熱する。ステンレス鋼を用いることによって、冷えた外側管表面にミルクがこびりつかず、プローブの外面の洗浄は必要不可欠ではない。蒸気自体がプローブの内面を清浄に保つ。【選択図】図１
2018519946.tif 000002
【特許請求の範囲】
【請求項１】
内側蒸気管と、前記内側管から環方向に離間され、前記内側管を取り囲む外側管と、前記外側管表面の洗浄を容易にするために前記内側管の出口端に隣接する前記外側管の端に取り付けられたノズルとからなる蒸気プローブを含む、ミルク泡立て装置。
【請求項２】
前記プローブがステンレス鋼から作製される、請求項１に記載のミルク泡立て装置。
【請求項３】
非接触型温度センサが、ジャグ外表面の温度を監視するためにジャグ支持部に隣接して配置され、前記ジャグ外表面の下側部分が艶消し黒色である、請求項１に記載のミルク泡立て装置。
【請求項４】
請求項１に記載のミルク泡立て装置に用いるためのプローブであって、内側蒸気管と、前記内側管から環方向に離間され、前記内側管を取り囲む外側管と、前記内側管の出口端に隣接する前記外側管の端に取り付けられたノズルとからなる、プローブ。
【請求項５】
前記プローブがステンレス鋼から作製される、請求項４に記載のプローブ。
【発明の詳細な説明】
【技術分野】
【０００１】
本発明は、エスプレッソマシンのためのミルク泡立て器の改良に関する。
【背景技術】
【０００２】
先進国および新興国の双方において世界規模で、コーヒーの消費が増加傾向にある。コーヒーにミルクを入れて出す欧州スタイル、特にカフェラテ、カプチーノおよびフラットホワイトコーヒーに最も人気がある。このコーヒースタイルの全体の味、口当たり、および外観のために必須の構成要素である泡立ちまたは泡を生成するために、ミルクに蒸気を注入しながら加熱しなければならないので、欧州スタイルのコーヒーを作るのは時間がより長くかかる。
【０００３】
本発明者は、ジャグ内のミルクの深さを決定するためのセンサと、ミルクの表面下にプローブの先端を維持するべく好ましくはステッピングモータによって移動可能な蒸気プローブまたはジャグ支持部と、ジャグ内のミルクの温度を監視するための温度センサと、工程を開始し、ミルクの表面に対する蒸気プローブの位置を維持するためのマイクロコントローラと、を含む、ＷＯ２０１４／１６５９１１で開示される、自動ミルク泡立て器を開発した。
【発明の概要】
【発明が解決しようとする課題】
【０００４】
本発明の目的は、この装置の性能を向上することである。
【課題を解決するための手段】
【０００５】
この目的を達成するために、本発明は、内側蒸気管と、内側管から環方向に離間され、内側管を取り囲む外側管と、前述の内側管の出口端に隣接する前述の外側管の端に取り付けられたノズルとからなる蒸気プローブを含む、ミルク泡立て器を提供する。
【０００６】
内側管と外側管との間の空隙が、蒸気サイクル中に内側管内で発生した熱から外側管を断熱する。ステンレス鋼を用いることによって、冷えた外側管表面にミルクがこびりつかず、プローブの外面の洗浄は必要不可欠ではない。蒸気自体がプローブの内面を清浄に保つ。
【０００７】
したがって、本発明のプローブは、その内容が参照により本明細書に組み込まれるＷＯ２０１４／１６５９１１で開示されたミルク泡立て器に用いられ得る。
【０００８】
このミルク泡立て器において、ミルクの温度は、ミルクジャグの底壁の温度を監視する温度センサによって検知される。温度検知の精度を向上するために、ジャグの基底および下側壁が艶消し黒色である、独自開発のジャグが用いられる。
【０００９】
次に本発明の好ましい実施形態について、図面を参照して説明する。
【図面の簡単な説明】
【００１０】
【図１】蒸気プローブの先端の概略図である。
【図２】本発明のミルクジャグの側面図である。
【図３】非接触型温度センサの位置を示す図である。
【発明を実施するための形態】
【００１１】
説明される実施形態は、ＷＯ２０１４／１６５９１１で説明されるミルク泡立て器に用いられ得る。
【００１２】
図１に示すように、ミルクプローブ１０は、ねじ接続により蒸気ライン１１に結合される。プローブは二重壁管からなる。内側管１４は蒸気ラインに結合され、外側管１５は、内側管１４と同軸であり、スペーサ１６によって内側管１４から離間される。空気スペース１８が、外側管１５を内側管１４から分離および断熱する。この空気スペースには、空気の代替の断熱体として任意の断熱材が充填されてもよい。先端２０が、内側管１４の端に隣接する外側管１５の端に溶接またはねじ結合される。先端２０は、蒸気出口２１を備える。蒸気注入ステップ中に外側管の温度は低く保たれるので、ミルクが外壁表面にこびりつかず、蒸気注入の合間に該表面の洗浄は必要とされない。ミルクプローブの設計では慣習的であるように、ミルクプローブはその長さに沿って湾曲または蛇行していてもよい。
【００１３】
ジャグ３０内のミルクの温度は、ミルク泡立て器４０の本体にある赤外線センサ３５によって検知される。ジャグ３０の下側表面３１は、正確な温度読取を保証するために艶消し黒色表面を有するようにコーティングされる。
【００１４】
好ましいコーティングは、ニッケルクロムよりも僅かに硬く、通常の洗浄工程に耐えることができる艶消し黒色仕上げを与える、黒色クロムである。ステンレス鋼ジャグには、こげつき防止コーティングである「アイアンストーン（ｉｒｏｎｓｔｏｎｅ）」などの艶消し黒色エポキシコーティングまたは材料をスプレー塗装することもできる。
【００１５】
選択する材料がどのようなものであろうとも、最も速い熱伝達を可能にするために薄いことが好ましい。コーティングは、直流を用いる蒸着またはプラズマ化学蒸着を用いて適用されてよい。表面を陽極酸化処理するために２段階の工程、すなわち、イオン蒸着、次いで、通常の方法での陽極酸化処理が必要とされる。
【００１６】
上記から、本発明は高品質のエスプレッソコーヒー製品に必要なミルクの泡立て品質を損なうことなく、バリスタの生産性を高める独自の手段を提供することがわかる。本発明は、本発明の核心の教示から逸脱することなく、説明された実施形態以外の実施形態で実施されてもよいことが当業者には認識されよう。
【図１】
2018519946.tif 000003
【図２】
2018519946.tif 000004
【図３】
2018519946.tif 000005
【国際調査報告】
2018519946.tif 000006
2018519946.tif 000007
2018519946.tif 000008
2018519946.tif 000009
(57)【要約】  【解決手段】  虫歯を減少させる方法は、歯のエナメル質上に１もしくはそれ以上の耐酸性層を成長させる工程を含んでも良い。耐酸性層はモノフルオロリン酸アニオンを含んでも良い。例えば、耐酸性層はモノフルオロリン酸カルシウムを含んでも良い。耐酸性層は歯のエナメル質に２部の化合物を送達することによって成長しても良い。  【選択図】      図１
2018522931.tif 000002
【特許請求の範囲】
【請求項１】
虫歯を減少させる方法であって、歯のエナメル質上で少なくとも1つの耐酸性層を成長させる工程を有する、方法。
【請求項２】
請求項１記載の方法において、前記少なくとも1つの耐酸性層はモノフルオロリン酸アニオンを有する、方法。
【請求項３】
請求項１記載の方法において、前記少なくとも1つの耐酸性層はモノフルオロリン酸カルシウムを有する、方法。
【請求項４】
請求項１記載の方法において、前記歯のエナメル質上で少なくとも1つの耐酸性層を成長させる工程は、前記歯のエナメル質に２部の化合物を送達する工程を有する、方法。
【請求項５】
請求項４記載の方法において、前記歯のエナメル質に２部の化合物を送達する工程は、アスコルビン酸カルシウムを有する第１部を送達する工程と、モノフルオロリン酸ナトリウムを有する第２部を送達する工程とを有する、方法。
【請求項６】
請求項４記載の方法において、前記歯のエナメル質に２部の化合物を送達する工程は、前記歯のエナメル質に２部のマウスウォッシュを送達する工程を有する、方法。
【請求項７】
請求項４記載の方法において、前記歯のエナメル質に２部の化合物を送達する工程は、前記歯のエナメル質に２部のジェルを送達する工程を有する、方法。
【請求項８】
請求項７記載の方法において、前記歯のエナメル質に２部のジェルを送達する工程は、トレイの中に前記２部のジェルを詰め込む工程を有する、方法。
【請求項９】
請求項４記載の方法において、前記歯のエナメル質に２部の化合物を送達する工程は、前記歯のエナメル質にストリップを適用する工程を有する、方法。
【請求項１０】
請求項４記載の方法において、前記歯のエナメル質に２部の化合物を送達する工程は、２部のトローチ剤を溶解する工程を有する、方法。
【発明の詳細な説明】
【技術分野】
【０００１】
本発明は、歯のエナメル質上における耐酸性層の成長方法を開示する。
【０００２】
本出願は、２０１５年８月１２日に提出された米国仮特許出願第６２／２０４，０６６号の優先権を主張し、この参照によりその全体が本明細書に組み込まれる。
【発明の概要】
【課題を解決するための手段】
【０００３】
本発明の実施態様は、歯のエナメル質上における耐酸性層の成長方法を提供する。
【０００４】
上述の利点および特徴並びに本発明の他の利点および特徴の達成方法を記載するにあたり、本発明を簡単に記載した上述の説明の更に特定の記載が、本発明の実施形態の特定の例並びに添付の図面を参照することにより提供される。斯かる図面は本発明の典型的な実施形態を説明するものであり、従って、本発明の範囲を制限するものではない。そういう理解に基づき、本発明は、添付の図面を使用することにより、更に具体的かつ詳細に記載および説明されるであろう。
【図面の簡単な説明】
【０００５】
【図１】図１は、本発明の実施態様に従って、歯のエナメル質の表面上に成長した層を示す。
【発明を実施するための形態】
【０００６】
虫歯は大昔から人類が悩まされ続けてきた。バクテリアが食事の後の歯に残った食べ物の残りを消費することでバクテリアの酸性副生成物が虫歯を引き起こすとして知られている（バクテリアは主に副生成物として乳酸を作り出す）。歯のエナメル質は、ヒドロキシリン酸カルシウム、Ｃａ５（ＰＯ４）３ＯＨまたはヒドロキシアパタイトを有する。酸はヒドロキシリン酸カルシウムをイオン的に分解する：Ｃａ５（ＰＯ４）３ＯＨ（ｓ）＋Ｈ＋→Ｃａ５（ＰＯ４）３＋＋Ｈ２Ｏ。虫歯に対抗するために考案された方法は昔から数多くあり、例えば、歯ブラシ、フッ素添加水、フッ素入り歯磨き粉、デンタルフロスなどである。これらの方法は、様々な方法、食事後の食べ物の残りを歯から取り除いたり、より酸に耐性のあるエナメル質を作ったり、唾液流量を刺激することによって酸を薄めたりすることにより効果を得るものである。
【０００７】
本発明は歯の構造上の耐酸性層を成長させることによって虫歯に対抗する。図１は歯Ａの一部の図面を示し、最外部の構造はエナメル表面Ｂである。耐酸性層Ｃはエナメル質に付着している。歯の構造上に耐酸性層Ｃを作り出すことによって、バクテリアの副生成物によって作り出された酸蝕の発生率は最小限に抑えられる。
【０００８】
本発明は、歯の構造上に成長された層であって、自然の歯のエナメル質より強い酸耐性を有する任意の層を具体化する。
【０００９】
本発明の一つの実施形態は、歯の構造の表面上にイオン結合した結晶層を成長させるために設計されたものである。実施形態は、口腔の水性の／唾液環境内での耐酸性アニオンとカルシウムイオン源を結合させる。水溶液中で結合された場合、イオン化合物が塩を形成し凝結し始め、エナメル表面にある、またはエナメル表面上のイオンが新しい層を形成する結晶成長を経る。このプロセスは、唾液と歯のエナメル質の間に自然に起こる再石灰化に似ている。唾液は絶えず歯の構造上のヒドロキシアパタイトを成長させるイオン化合物を含む。本発明の実施形態は、口腔内で自然に起こるのと同じ再石灰化プロセスを利用して、エナメル質上により多くの耐酸性を成長させるために設計されたものである。この実施形態において、新規に再石灰化された構造中により多くの耐酸性アニオンを単に組み込むものである。
【００１０】
本発明の他の実施形態はアスコルビン酸カルシウムとモノフルオロリン酸ナトリウム（ＭＦＰ）を口腔内で結合させ、水溶解で化学結合した化合物がより安定した塩：モノフルオロリン酸カルシウムを形成するように反応し始める。エナメル質上またはエナメル質でのカルシウムおよびモノフルオロリン酸イオンは結晶成長を遂げ、新しい層を形成する。そのプロセスは、唾液と歯のエナメルの間に自然に起こる再石灰化に似ている。唾液は絶えず歯の構造上のヒドロキシアパタイトを成長させるイオン化合物を含む。本発明の実施形態は、口腔内で自然に起こるのと同じ再石灰化プロセスを利用して、エナメル質上により多くの耐酸性を成長させるために設計されたものである。この実施形態において、新規に再石灰化された構造中により多い耐酸性アニオンを単に組み込むものである。
【００１１】
本発明のこれらのイオン化合物は、２部のマウスウォッシュ、トレイに詰め込まれた２部の混合ジェル、口腔内にいれた際に活性化する２部のストリップ、口の中に同時にいれられる２部のトローチ剤システム、および口腔内に成分を送達することが可能な他の有効な送達システムなどの様々な方法で口腔内に送達され得る。
【図１】
2018522931.tif 000003
【国際調査報告】
2018522931.tif 000004